(57)【要約】【課題】制御基板の交換作業等の行い易い空調装置を提供すること。【解決手段】浴室用換気装置１は、天井部３の開口部４の奥部に挿入される本体ケース５の外側に制御基板３０が配設され、制御基板３０を本体ケース５の外側に着脱自在な基板ボックス２１に収納してユニット化したものである。【選択図】  図１
2004150764.tif 000002
【特許請求の範囲】
【請求項１】
天井部若しくは壁面の開口部の奥部に挿入され、空気を処理するための機構を収納する本体外郭体の外側に、前記機構を制御する制御基板が配設される空調装置であって、
本体外郭体には、基板が収納可能な基板収納部が着脱自在に取り付けられ、前記基板収納部に前記制御基板が取り付けられていることを特徴とする空調装置。
【請求項２】
前記基板収納部の固定部が、前記本体外郭体の側壁部に設けられていることを特徴とする請求項１記載の空調装置。
【請求項３】
天井部若しくは壁面の開口部の奥部に挿入され、空気を処理するための機構を格納する本体外郭体の外側に、前記機構を制御する制御基板が配設される空調装置であって、
前記制御基板を収納する基板収納部と前記本体外郭体とが、接続手段により接続され、前記本体外郭体から離間した部位に配置可能とされていることを特徴とする空調装置。
【発明の詳細な説明】
【０００１】
【発明の属する技術分野】
本発明は、換気、暖房、乾燥、涼風、冷房などの空調機能の少なくとも一つを有する空調装置に関する。
【０００２】
【従来の技術】
従来、空調装置の一例としては、図３に示す浴室用換気装置が知られている。
【０００３】
この浴室用換気装置５０は、衣類乾燥モード、涼風モード、暖房モード、換気モードを有しており、浴室５１の天井部５２に形成された開口部５３の内部に挿入される本体ケース５４を備えている。集合住宅（マンション）の場合、本体ケース５４の上部には階上との仕切壁５５が存在し、天井部５２は仕切壁（戸建ての場合には梁等）５５に支持されている。
【０００４】
本体ケース５４は、仕切壁５５にアンカーボルト５６を螺着して取り付けられるアンカーステイ５７に保持されている。本体ケース５４は、金属製ボックスからなり、内部に遠心式で円筒型の吸引ファン５８が配設されている。吸引ファン５８の円筒型の周囲は送風路５９に空気を導く仕切壁６０が形成され、仕切壁６０には、吸引ファン５８の空気を導入するベルマウス６１が形成されている。吸引ファン５８は、本体ケース５４上部の天井壁部５４Ａに取り付けられているモーター６２の出力軸に取り付けられている。送風路５９には排気風路６３Ａと循環風路６３に空気の流れを、浴室側又は室外側へ切り換えるダンパー６４が設けられ、ダンパー６４は交流同期式モーター６５の出力軸により駆動されるリンク６６Ａ，６６Ｂに結合され、モーター６５の回転により傾斜角度が決められるようになっている。６７は循環風路６３に設けられたヒーターであり、衣類乾燥モードと浴室暖房モードの際に通電される。
【０００５】
天井壁部５４Ａには、モーター６２，６５の回転，ヒーター６７の発熱等を制御するための電子部品が実装された制御基板６８が配設される。制御基板６８には天井壁部５４Ａの内側に螺着されたネジ付きスペーサ６９の先端部が通されており、基板６８から上に突出する先端部にナット７０を螺着されて固定されている。
【０００６】
制御基板６８の上部は、密閉型の基板ボックス７１によって覆われており、水が入らないようになっている。基板ボックス７１の四隅にはネジ７２が通されており、ネジ７２を天井壁部５４Ａのネジ穴にねじ込むことによって、固定されている。
【０００７】
【発明が解決しようとする課題】
しかしながら、このような従来の浴室用換気装置において、制御基板６８の点検や交換作業の必要性が生じた場合、天井部５２と仕切壁５５との間の隙間Ｃが狭いと、ネジ７２を回すためのドライバー７３を垂直方向に向けて、ネジ７２を回すことが不可能であるため、装置５０を一旦天井部５２から取り外さなければならず、制御基板６８の交換作業に手間がかかりすぎることとなる。
【０００８】
そこで、極力短いドライバー７３を使用しなければならないが、このようなドライバー７３であっても、手でドライバー７３を握りにくいので、力を込められないと共に、ネジ７２が点検開口部７４から遠い位置にあると、天井壁部５４Ａと仕切壁５５との隙間に手を入れにくいばかりでなく、奥部のネジ７２の位置を手探りで行わなければならず、非常に作業性が悪く交換作業等に時間がかかるという問題が残る。特に、最近では、天井部５２と仕切壁５５との隙間Ｃが狭くなる傾向にあるために、作業性の改善が強く望まれている。
【０００９】
尚、制御基板を本体に設けることも可能であるが、このようにすると装置本体を浴室に設置する浴室空調装置として利用する場合には、制御基板が水に濡れるという問題がある。このため、防湿処理等を行わなければならず、コスト及び作業面から好ましくない。また、内部に設けると装置本体に設けてあるフロントパネルを外し、その他関連部品を外さなければならないので、作業性が悪いという点も問題がある。
【００１０】
本発明は、このような課題に着目してなされたものであり、制御基板の交換作業等の行い易い空調装置を提供することを目的とする。
【００１１】
【課題を解決するための手段】
本願の請求項１にかかる空調装置は、天井部若しくは壁面の開口部の奥部に挿入され、空気を処理するための機構を収納する本体外郭体の外側に、前記機構を制御する制御基板が配設される空調装置であって、
本体外郭体には、基板が収納可能な基板収納部が着脱自在に取り付けられ、前記基板収納部に前記制御基板が取り付けられていることを特徴とする。
【００１２】
本願の請求項２の空調装置は、請求項１記載の空調装置であって、前記基板収納部の固定部が、前記本体外郭体の側壁部に設けられていることを特徴とする。
【００１３】
本願の請求項３の空調装置は、天井部若しくは壁面の開口部の奥部に挿入され、空気を処理するための機構を格納する本体外郭体の外側に、前記機構を制御する制御基板が配設される空調装置であって、
前記制御基板を収納する基板収納部と前記本体外郭体とが、接続手段により接続され、前記本体外郭体から離間した部位に配置可能とされていることを特徴とする。
【００１４】
【発明の実施の形態】
図１は本願の空調装置の実施の形態にかかる浴室用換気装置１を示したものである。この浴室用換気装置１の主要部を説明すると、浴室用換気装置１は、天井部３の開口部４の奥部に挿入される本体ケース５の外側に制御基板３０が配設され、制御基板３０を本体ケース５の外側に着脱自在な基板ボックス２１に収納してユニット化したものである。
【００１５】
基板ボックス２１は、本体ケース５の奥方に配置される天井壁部である天井壁部５Ａ上に搭載され、天井壁部５Ａと建物の仕切壁６との間の隙間Ｃから天井壁部５Ａに沿って移動させて天井壁部５Ａから着脱する着脱機構を有しており、更に、基板ボックス２１における天井側の壁部２８に、制御基板３０が着脱可能に取り付けられている。なお、本発明の空調装置は、浴室用換気装置に限らず、居室用或いは脱衣場用の換気装置或いは空気調和装置についても適用できるものである。
【００１６】
以下、この浴室用換気装置１をより詳細に説明する。浴室用換気装置１は、浴室２の天井部３に形成された開口部４の内部に挿入される本体ケース５を備えている。本体ケース５の上部には階上のフロアとの仕切壁６が存在し、天井部３は仕切壁６に支持されている。
【００１７】
本体ケース５は、仕切壁６にアンカーボルト７を螺着して取り付けられるアンカーステイ８に保持されている。本体ケース５は、金属製ボックスからなるものであり、内部に遠心式で円筒型の吸引ファン９が配設されている。吸引ファン９の円筒型の周囲は送風路１０に空気を導く仕切壁１１が形成され、仕切壁１１には、吸引ファン９の空気を空気を導入するベルマウス１２が形成されている。吸引ファン９は、本体ケース５上部の天井壁部５Ａに取り付けられているモーター１３の出力軸に取り付けられている。
【００１８】
送風路１０には、排気風路１４と循環風路１５に空気の流れを切り換えるダンパー１６が配設されている。ダンパー１６はリンク１６Ａ、１６Ｂを介してダンパー用モーター１６Ｍの出力軸にリンクしている。ダンパー１６はダンパー用モーター１６Ｍの回転角度により、送風路１０を流れる空気の流れを切り換える。ダンパー１６が循環風路１５側の風路開口を閉止するように倒れると、送風路１０の空気は排気風路１４に流れる。ダンパー１６が排気風路１４側に立ち上がると、排気風路１４が遮断されて循環風路１５側に空気が流れ、循環風路１５から浴室２内部に空気が循環される。
【００１９】
排気風路１４の排気口の外側縁部にはダクトジョイント１７が配設され、ダクトジョイント１７には建物の外側に通じるダクト１８が接続されている。循環風路１５には空気を通過させるフィンを多数備えたヒータ１９が設けられている。本体ケース５の開口部４の周囲の縁部には空気を通過させるための長穴を多数形成した化粧用のフロントパネル２０が取り付けられている。本体ケース５の天井壁部５Ａには、基板ボックス２１が取り付けられている。
【００２０】
図１（ｂ）に示すように、基板ボックス２１は本体ケース５の側壁部５Ｂの上部に面接触可能な取付片部２２を備えている。取付片部２２にはネジ穴が開口されており、取付片部２２が接触する側壁部５Ｂにはネジ穴部２５が形成されている。基板ボックス２１は、取付片部２２のネジ穴にタッピンネジ２４を通し、タッピンネジ２４を側壁部５Ｂのネジ穴部２５に螺着することにより、固定される。
【００２１】
また、図１（ｃ）に示すように、基板ボックス２１のモーター１３側の縁部には、フランジ２６が形成されており、フランジ２６は、天井壁部５Ａに形成した爪部２７と天井壁部５Ａとの間に挿入されて固定される。
【００２２】
この取付片部２２、タッピンネジ２４、ネジ穴部２５、フランジ２６及び爪部２７は着脱機構を構成している。この着脱機構において、取付片部２２，タッピンネジ２４、ネジ穴部２５、フランジ２６及び爪部２７の代わりに、永久磁石によって構成し、基板ボックス２１の取付片部２２やフランジ２６に永久磁石を設け、基板ボックス２１を本体ケース５の天井壁部５Ａから取り外し可能としても良い。また、基板ボックス２１の開口部の周りに、フランジ２６と同様に水平外側に延びるフランジを形成する一方天井壁部５Ａ側に、これらのフランジを爪部２７と同様な爪部を形成して、天井壁部５Ａに沿ってスライドさせて基板ボックス２１を固定しても良い。
【００２３】
基板ボックス２１は、下側が開放された箱形形状を備えており、上部の壁部２８が上側に位置するように取り付けられ、制御基板３０に水が付着することを防止している。壁部２８には、壁部２８の外側からボルト２９をねじ込む開口部が形成され、この開口部にボルト２９が挿入されている。ボルト２９の根元には図示しないナットが螺着されている。ボルト２９の先端部の所定の高さ位置には、制御基板３０の取付開口部（図示省略）が挿入されている。ボルト２９の先端部には、ナット３１が螺着されており、制御基板３０がボルト２９によって支持されている。
【００２４】
制御基板３０は、モーター１３，ヒーター１９，ダンパー用モーター１６Ｍ等を制御するように、図示しないケーブルに接続されており、ケーブルを経由してモーター１３，ヒーター１９，ダンパー用モーター１６Ｍへの給電を、制御基板３０が制御することにより、これらの回転或いはヒーターのオン・オフを制御する。
【００２５】
この実施の形態の浴室用換気装置１では、制御基板３０の取付又は点検・交換作業の際に、点検開口部３２から作業者３３が天井部３の上に手を伸ばして、本体ケース５の側壁部５Ｂのタッピンネジ２４をドライバー３４により容易に回転させることができ、作業が容易である。タッピンネジ２４を外した後には、基板ボックス２１を点検開口部３２側に引き寄せれば、フランジ２６が爪部２７から外れて制御基板３０と一緒に基板ボックス２１を取り外すことができる。そして、基板ボックス２１を天井部３の上に載せ、ナット３１を工具により取り外し、制御基板３０からケーブル類のコネクタを外せば、制御基板３０を取り外して、脱衣室等の作業性の良いところで制御基板３０を点検したり、新たな制御基板３０を再び基板ボックス２１に取り付けることも容易に出来る。
【００２６】
制御基板３０の交換後には、ケーブル類のコネクタを再び接続し、基板ボックス２１を天井壁部５Ａに沿って元の位置に戻し、タッピンネジ２４を取付片部２２の取付穴に通して、ドライバー３４によりタッピンネジ２４を回転させれば、基板ボックス２１が本体ケース５に固定される。
【００２７】
なお、制御基板３０をボルト２９とナット３１による取付ける機構とせず、図１（Ｄ）に示すように、先端部が二股に分かれた樹脂製のスペーサ３５を挿入して取り付ける構成とすると、ねじ回し作業が少なくなる。スペーサ３５の先端部の周りには制御基板３０の取付穴が嵌合する溝３６が形成されている。スペーサ３５の根元には固定フランジ３７が形成され、スペーサ３５の根元部の下端にはネジ部３７が圧入若しくはネジにより固定される。
【００２８】
図２は、本発明の第２の実施の形態にかかる浴室用換気装置４０を示すものである。この浴室用換気装置４０では、本体ケース５の外部構成並びに内部構成は図１に示すものと同様であるので、その説明を援用する。
【００２９】
この浴室用換気装置４０では、モーター１３，ヒーター１９，ダンパー用モーター１６Ｍへの給電を制御する制御基板３０は、基板ボックス４１に収納されている。基板ボックス４１から本体ケース５には給電線及び制御線をまとめたケーブル４２が延びている。ケーブル４２は制御基板３０のコネクタ４３（図２（ｃ）参照）に結合されるコネクタ４４（図２（ｄ）参照）を備えており、コネクタ４３，４４を結合して制御基板３０とケーブル４２とを接続したり、取り外すことが出来るようになっている。コネクタ４３には制御基板３０の所定回路に接続されるピン（オス）４５が取り付けられ、コネクタ４４のピン穴４６内には本体ケース５の所定配線に接続される円筒状金属管（メス）が設けられており、両者を結合すると、本体ケース５の配線と制御基板３０の所定回路とが適正に接続されるようになっている。
【００３０】
基板ボックス４１の底部には前述のボルト２９若しくはスペーサ３５が取り付けられており、制御基板３０はこのボルト２９若しくはスペーサ３５に取り付けられている。基板ボックス４１の上部は蓋４７により密閉されている。
【００３１】
第２の実施の形態にかかる浴室用換気装置４０によれば、制御ボックス４１がケーブル４２によりケース本体５と接続されてユニット化されているので、制御ボックス４１を点検開口部３２の近傍に配置しておき、ケーブル４２のコネクタと制御ボックス４１のコネクタとを取り外せば、容易に制御ボックス４１を点検開口部３２から取り出せるので、制御基板３０の点検交換作業が極めて容易なものとなり、作業時間を短縮化できる。
【００３２】
【発明の効果】
本願の請求項１の空調装置によれば、制御基板の交換作業・取付作業或いは空調装置の天井部上方の部位の点検・修理作業が非常に行い易いものとなる。
【００３３】
本願の請求項２の空調装置によれば、上述の効果に加えて固定部が本体外郭体の側面にあるため、工具と天井面とを平行に利用できることとなり、基板収納部の脱着が容易である。
【００３４】
本願の請求項３の空調装置によれば、基板収納部を本体外郭体から外して点検開口部側において作業をしたり、ケーブルから基板収納部を取り外して作業を行うことが出来、更に作業性が向上する。
【図面の簡単な説明】
【図１】本願の第１の実施の形態にかかる空調装置の構成を示す図であり、（ａ）は全体の構成を示す図、（ｂ）は基板ボックスの取付片部近傍の断面構成を示す図、（ｃ）は基板ボックスのモーター側のフランジ近傍の構成を示す断面図、（ｄ）は基板ボックスと制御基板とを結合するスペーサの構成を示す図。
【図２】（ａ）は本願の第２の実施の形態にかかる空調装置の構成を示す図、（ｂ）は制御ボックスの配置状態を示す斜視図、（ｃ）は制御ボックス側のコネクタ形状を示す斜視図、（ｄ）はケーブル側のコネクタ形状を示す斜視図。
【図３】従来の空調装置の構成を示す図。
【符号の説明】
１  浴室用換気装置（空調装置）
２  浴室
３  天井部
４  開口部
５  本体ケース（本体外郭体）
２１  基板ボックス（基板収納部）
３０  制御基板
３２  点検開口部
４１  基板ボックス
４２  ケーブル
【図１】
2004150764.tif 000003
【図２】
2004150764.tif 000004
【図３】
2004150764.tif 000005